(57)【要約】【課題】  中継ノード及び発側ノードの負荷増大を回避することができる余剰パケット送信抑止装置及びその制御プログラム、余剰パケット送信抑止方法を提供する。【解決手段】  受信した第１の要求信号と同一の識別子を有する第２の要求信号を検索する検索手段と、検索手段により第２の要求信号を検出できない場合に、第１の要求信号の識別子と受信時刻とを記憶するとともに、応答信号を返信する第１の処理手段を有する。また、検索手段により第２の要求信号を検出できた場合に、第１の要求信号の受信時刻と最も新しい第２の要求信号の受信時刻との差分を取得する差分取得手段を有する。また、差分取得手段が取得した差分が所定の時間間隔よりも長い場合は、第１の要求信号の受信時刻を記憶するとともに、応答信号を返信する第２の処理手段と、差分取得手段が取得した差分が所定の時間間隔よりも短い場合は、第１の要求信号を破棄する第１の破棄手段を有する。【選択図】  図１
2007037004.tif 000002
【特許請求の範囲】
【請求項１】
信号の一意性を保証するユニークな識別子を有するセッション制御プロトコルを用いた余剰パケット送信抑止装置であって、
受信した第１の要求信号と同一の識別子を有する第２の要求信号を検索する検索手段と、
前記検索手段により第２の要求信号を検出できない場合に、前記第１の要求信号の識別子と受信時刻とを記憶するとともに、応答信号を返信する第１の処理手段と、
前記検索手段により第２の要求信号を検出できた場合に、前記第１の要求信号の受信時刻と最も新しい第２の要求信号の受信時刻との差分を取得する差分取得手段と、
前記差分取得手段が取得した差分が所定の時間間隔よりも長い場合は、前記第１の要求信号の受信時刻を記憶するとともに、応答信号を返信する第２の処理手段と、
前記差分取得手段が取得した差分が所定の時間間隔よりも短い場合は、前記第１の要求信号を破棄する第１の破棄手段と、
を有することを特徴とする余剰パケット送信抑止装置。
【請求項２】
前記差分取得手段が取得した差分が所定の時間間隔よりも短い場合は、前記識別子に対応付けて輻輳状態がオンの情報を記憶する記憶手段と、
前記第１の要求信号と同一の識別子を有する第２の要求信号が存在し、前記識別子に対応付けられて輻輳状態がオンの情報が記憶されており、前記差分が前記所定の時間間隔に一定時間を加えた時間間隔よりも長い場合は、前記識別子に対応付けて輻輳状態がオフの情報と、前記第１の要求信号の受信時刻の情報とを記憶するとともに、応答信号を返信する第３の処理手段と、
前記第１の要求信号と同一の識別子を有する第２の要求信号が存在し、前記識別子に対応付けられて輻輳状態がオンの情報が記憶されており、前記差分が前記所定の時間間隔に一定時間を加えた時間間隔よりも短い場合は、前記第１の要求信号を破棄する第２の破棄手段と、
を更に有することを特徴とする請求項１に記載の余剰パケット送信抑止装置。
【請求項３】
信号の一意性を保証するユニークな識別子を有するセッション制御プロトコルを用いた余剰パケット送信抑止方法であって、
受信した第１の要求信号と同一の識別子を有する第２の要求信号を検索する第１のステップと、
前記第１のステップにより第２の要求信号を検出できない場合に、前記第１の要求信号の識別子と受信時刻とを記憶するとともに、応答信号を返信する第２のステップと、
前記第１のステップにより第２の要求信号を検出できた場合に、前記第１の要求信号の受信時刻と最も新しい第２の要求信号の受信時刻との差分を取得する第３のステップと、
前記第３のステップにより取得した差分が所定の時間間隔よりも長い場合は、前記第１の要求信号の受信時刻を記憶するとともに、応答信号を返信する第４のステップと、
前記第３のステップにより取得した差分が所定の時間間隔よりも短い場合は、前記第１の要求信号を破棄する第５のステップと、
を有することを特徴とする余剰パケット送信抑止方法。
【請求項４】
前記第３のステップで取得した差分が所定の時間間隔よりも短い場合は、前記識別子に対応付けて輻輳状態がオンの情報を記憶する第６のステップと、
前記第１の要求信号と同一の識別子を有する第２の要求信号が存在し、前記識別子に対応付けられて輻輳状態がオンの情報が記憶されており、前記差分が前記所定の時間間隔に一定時間を加えた時間間隔よりも長い場合は、前記識別子に対応付けて輻輳状態がオフの情報と、前記第１の要求信号の受信時刻の情報とを記憶するとともに、応答信号を返信する第７のステップと、
前記第１の要求信号と同一の識別子を有する第２の要求信号が存在し、前記識別子に対応付けられて輻輳状態がオンの情報が記憶されており、前記差分が前記所定の時間間隔に一定時間を加えた時間間隔よりも短い場合は、前記第１の要求信号を破棄する第８のステップと、
を更に有することを特徴とする請求項３に記載の余剰パケット送信抑止方法。
【請求項５】
信号の一意性を保証するユニークな識別子を有するセッション制御プロトコルを用いた余剰パケット送信抑止装置の制御プログラムであって、
受信した第１の要求信号と同一の識別子を有する第２の要求信号を検索させる第１のステップと、
前記第１のステップにより第２の要求信号を検出できない場合に、前記第１の要求信号の識別子と受信時刻とを記憶させるとともに、応答信号を返信させる第２のステップと、
前記第１のステップにより第２の要求信号を検出できた場合に、前記第１の要求信号の受信時刻と最も新しい第２の要求信号の受信時刻との差分を取得させる第３のステップと、
前記第３のステップにより取得した差分が所定の時間間隔よりも長い場合は、前記第１の要求信号の受信時刻を記憶させるとともに、応答信号を返信させる第４のステップと、
前記第３のステップにより取得した差分が所定の時間間隔よりも短い場合は、前記第１の要求信号を破棄させる第５のステップと、
をコンピュータに実行させるための余剰パケット送信抑止装置の制御プログラム。
【請求項６】
前記第３のステップで取得した差分が所定の時間間隔よりも短い場合は、前記識別子に対応付けて輻輳状態がオンの情報を記憶させる第６のステップと、
前記第１の要求信号と同一の識別子を有する第２の要求信号が存在し、前記識別子に対応付けられて輻輳状態がオンの情報が記憶されており、前記差分が前記所定の時間間隔に一定時間を加えた時間間隔よりも長い場合は、前記識別子に対応付けて輻輳状態がオフの情報と、前記第１の要求信号の受信時刻の情報とを記憶させるとともに、応答信号を返信させる第７のステップと、
前記第１の要求信号と同一の識別子を有する第２の要求信号が存在し、前記識別子に対応付けられて輻輳状態がオンの情報が記憶されており、前記差分が前記所定の時間間隔に一定時間を加えた時間間隔よりも短い場合は、前記第１の要求信号を破棄させる第８のステップと、
を更にコンピュータに実行させるための請求項５に記載の余剰パケット送信抑止装置の制御プログラム。
【発明の詳細な説明】
【技術分野】
【０００１】
本発明は、信号の一意性を保証するユニークな識別子を有するセッション制御プロトコルを利用した余剰パケット送信抑止装置及びその制御プログラム、余剰パケット送信抑止方法に関する。
【背景技術】
【０００２】
従来から、通信システムの過負荷状態が発生した場合に、呼設定用信号あるいはデータ転送用信号の送受信において、過負荷状態を判定し、プロトコルで規定された範囲内で信号を遅延させることにより、相手システムに異常の発生を検知させずに処理量を平均化する方法が知られている（特許文献１参照）。
【特許文献１】特開平５−３４４１５８号公報
【発明の開示】
【発明が解決しようとする課題】
【０００３】
しかしながら、特許文献１に記載されている技術では、発側ノードが要求信号を送信し、その要求信号に対する応答信号の受信が確認できない場合、同一の識別子を有する要求信号の再送が行われるセッション制御プロトコルを用いた通信システムにおいては、ネットワークでの一時的な滞留により、着側ノードに対して、プロトコル規定よりも短い間隔で同一の識別子を有する要求信号を受信する場合があった。
この場合、これらの要求信号を全て処理することは着側ノードの負荷増大につながるだけでなく、要求信号に対する応答信号も短い間隔でネットワークに流れるので、ネットワーク内ノードの負荷増大の要因となるという問題がある。
【０００４】
本発明は、上記事情を考慮してなされたもので、その目的は、中継ノード及び発側ノードの負荷増大を回避することができる余剰パケット送信抑止装置及びその制御プログラム、余剰パケット送信抑止方法を提供することにある。
【課題を解決するための手段】
【０００５】
本発明は、上記課題を解決するためになされたもので、請求項１に記載の発明は、信号の一意性を保証するユニークな識別子を有するセッション制御プロトコルを用いた余剰パケット送信抑止装置であって、受信した第１の要求信号と同一の識別子を有する第２の要求信号を検索する検索手段と、前記検索手段により第２の要求信号を検出できない場合に、前記第１の要求信号の識別子と受信時刻とを記憶するとともに、応答信号を返信する第１の処理手段と、前記検索手段により第２の要求信号を検出できた場合に、前記第１の要求信号の受信時刻と最も新しい第２の要求信号の受信時刻との差分を取得する差分取得手段と、前記差分取得手段が取得した差分が所定の時間間隔よりも長い場合は、前記第１の要求信号の受信時刻を記憶するとともに、応答信号を返信する第２の処理手段と、前記差分取得手段が取得した差分が所定の時間間隔よりも短い場合は、前記第１の要求信号を破棄する第１の破棄手段とを有することを特徴とする余剰パケット送信抑止装置である。
【０００６】
また、請求項２に記載の発明は、前記差分取得手段が取得した差分が所定の時間間隔よりも短い場合は、前記識別子に対応付けて輻輳状態がオンの情報を記憶する記憶手段と、前記第１の要求信号と同一の識別子を有する第２の要求信号が存在し、前記識別子に対応付けられて輻輳状態がオンの情報が記憶されており、前記差分が前記所定の時間間隔に一定時間を加えた時間間隔よりも長い場合は、前記識別子に対応付けて輻輳状態がオフの情報と、前記第１の要求信号の受信時刻の情報とを記憶するとともに、応答信号を返信する第３の処理手段と、前記第１の要求信号と同一の識別子を有する第２の要求信号が存在し、前記識別子に対応付けられて輻輳状態がオンの情報が記憶されており、前記差分が前記所定の時間間隔に一定時間を加えた時間間隔よりも短い場合は、前記第１の要求信号を破棄する第２の破棄手段とを更に有することを特徴とする請求項１に記載の余剰パケット送信抑止装置である。
【０００７】
また、請求項３に記載の発明は、信号の一意性を保証するユニークな識別子を有するセッション制御プロトコルを用いた余剰パケット送信抑止方法であって、受信した第１の要求信号と同一の識別子を有する第２の要求信号を検索する第１のステップと、前記第１のステップにより第２の要求信号を検出できない場合に、前記第１の要求信号の識別子と受信時刻とを記憶するとともに、応答信号を返信する第２のステップと、前記第１のステップにより第２の要求信号を検出できた場合に、前記第１の要求信号の受信時刻と最も新しい第２の要求信号の受信時刻との差分を取得する第３のステップと、前記第３のステップにより取得した差分が所定の時間間隔よりも長い場合は、前記第１の要求信号の受信時刻を記憶するとともに、応答信号を返信する第４のステップと、前記第３のステップにより取得した差分が所定の時間間隔よりも短い場合は、前記第１の要求信号を破棄する第５のステップとを有することを特徴とする余剰パケット送信抑止方法である。
【０００８】
また、請求項４に記載の発明は、前記第３のステップで取得した差分が所定の時間間隔よりも短い場合は、前記識別子に対応付けて輻輳状態がオンの情報を記憶する第６のステップと、前記第１の要求信号と同一の識別子を有する第２の要求信号が存在し、前記識別子に対応付けられて輻輳状態がオンの情報が記憶されており、前記差分が前記所定の時間間隔に一定時間を加えた時間間隔よりも長い場合は、前記識別子に対応付けて輻輳状態がオフの情報と、前記第１の要求信号の受信時刻の情報とを記憶するとともに、応答信号を返信する第７のステップと、前記第１の要求信号と同一の識別子を有する第２の要求信号が存在し、前記識別子に対応付けられて輻輳状態がオンの情報が記憶されており、前記差分が前記所定の時間間隔に一定時間を加えた時間間隔よりも短い場合は、前記第１の要求信号を破棄する第８のステップとを更に有することを特徴とする請求項３に記載の余剰パケット送信抑止方法である。
【０００９】
また、請求項５に記載の発明は、信号の一意性を保証するユニークな識別子を有するセッション制御プロトコルを用いた余剰パケット送信抑止装置の制御プログラムであって、受信した第１の要求信号と同一の識別子を有する第２の要求信号を検索させる第１のステップと、前記第１のステップにより第２の要求信号を検出できない場合に、前記第１の要求信号の識別子と受信時刻とを記憶させるとともに、応答信号を返信させる第２のステップと、前記第１のステップにより第２の要求信号を検出できた場合に、前記第１の要求信号の受信時刻と最も新しい第２の要求信号の受信時刻との差分を取得させる第３のステップと、前記第３のステップにより取得した差分が所定の時間間隔よりも長い場合は、前記第１の要求信号の受信時刻を記憶させるとともに、応答信号を返信させる第４のステップと、前記第３のステップにより取得した差分が所定の時間間隔よりも短い場合は、前記第１の要求信号を破棄させる第５のステップとをコンピュータに実行させるための余剰パケット送信抑止装置の制御プログラムである。
【００１０】
また、請求項６に記載の発明は、前記第３のステップで取得した差分が所定の時間間隔よりも短い場合は、前記識別子に対応付けて輻輳状態がオンの情報を記憶させる第６のステップと、前記第１の要求信号と同一の識別子を有する第２の要求信号が存在し、前記識別子に対応付けられて輻輳状態がオンの情報が記憶されており、前記差分が前記所定の時間間隔に一定時間を加えた時間間隔よりも長い場合は、前記識別子に対応付けて輻輳状態がオフの情報と、前記第１の要求信号の受信時刻の情報とを記憶させるとともに、応答信号を返信させる第７のステップと、前記第１の要求信号と同一の識別子を有する第２の要求信号が存在し、前記識別子に対応付けられて輻輳状態がオンの情報が記憶されており、前記差分が前記所定の時間間隔に一定時間を加えた時間間隔よりも短い場合は、前記第１の要求信号を破棄させる第８のステップとを更にコンピュータに実行させるための請求項５に記載の余剰パケット送信抑止装置の制御プログラムである。
【発明の効果】
【００１１】
本発明では、第１の要求信号の受信時刻と、最も新しい第２の要求信号の受信時刻との差分が、所定の時間間隔よりも長いか短いかに応じて、応答信号を返信するか、第１の要求信号を破棄するようにした。
これにより、所定の第１の要求信号に対しては、応答信号を送信する必要がなくなるため、余剰パケットの送信を抑止することができ、輻輳状態が生じる可能性を減少させることができる。
【発明を実施するための最良の形態】
【００１２】
以下、図面を参照し、本発明の実施形態について説明する。
図１は、本発明の実施形態による余剰パケット送信抑止装置が備える輻輳判定機能部１の構成を示すブロック図である。この輻輳判定機能部１は、呼情報管理部２、識別子情報管理部３を有する。
呼情報管理部２は、輻輳判定機能部１が受信する第１の要求信号と同一の識別子を有する第２の要求信号が存在するかどうかを、識別子情報管理部３に記録されている情報を参照することにより検索する。呼情報管理部２による検索の結果、第１の要求信号と同一の識別子を有する第２の要求信号が存在しなかった場合には、第１の要求信号の識別子と、第１の要求信号の受信時刻と、輻輳状態の情報とを識別子情報管理部３に記録する。なお、輻輳状態とは、ネットワーク上で、ネットワークがもつ処理能力以上のデータ量により通信が行われ、一部のパケットが失われる等の障害が発生する状態をいう。
【００１３】
一方、呼情報管理部２による検索の結果、第１の要求信号と同一の識別子を有する第２の要求信号が存在した場合には、第１の要求信号の受信時刻と、第２の要求信号の受信時刻との差分を取得する。そして、差分が所定の時間間隔よりも長い場合は、第１の要求信号の受信時刻の情報と、輻輳状態が発生していないことを示す「オフ」という情報を識別子情報管理部３に記録する。一方、差分が所定の時間間隔よりも短い場合は、第１の要求信号を破棄し、輻輳状態の発生を示す「オン」という情報を識別子情報管理部３に記録する。本実施形態では、輻輳状態の発生の有無を「オン」、「オフ」の二段階に分類する場合について説明する。
【００１４】
識別子情報管理部３には、図２に示すようなデータベースが記録される。図２に示すように、データベースには、それぞれの第１の要求信号を識別するための１、２、３、４、・・・などの「番号」の情報や、同じ通信先等から送信される第１の要求信号を識別するための１２３、２３４、４５６、５６７、・・・などの「識別子」の情報、要求信号を受信した時刻である２０：２９：５９’１０（２０時２９分５９．１０秒）などの「受信時刻」の情報や、輻輳状態の発生の有無を示すオン、オフなどの「輻輳状態」の情報などが、それぞれ対応付けられて記憶される。
識別子情報管理部３は、呼情報管理部２からの検索に対して、要求信号の識別子毎の「受信時刻」や「輻輳状態」等の情報を通知する。また、識別子に対して該当する情報がない場合は、該当なしとして情報を通知し、呼情報管理部２からの書き込みに対して、識別子、受信時刻、輻輳状態等の情報を変更や記録する。
【００１５】
次に、本発明の実施形態による余剰パケット送信抑止装置の動作について説明する。
図３は、本実施形態による余剰パケット送信抑止装置の動作を示すフローチャートである。図３のフローチャートの処理は、「はじめ」のステップから開始される。
「入力１」のステップでは、本実施形態による余剰パケット送信抑止装置は、要求信号を受信する。
「判断１」のステップでは、以前に受信した要求信号の中で、同一の識別子を有する要求信号が存在するか否かについて検索し判定を行う。同一の識別子を有する要求信号を検出することができない場合には、「不一致」と判定し、「処理１」のステップへ進む。
【００１６】
「判断２」のステップでは、輻輳状態が発生しているか否かについて判定を行う。輻輳状態が発生していない場合には、「オフ」と判定し「判断３」のステップへ進む。一方、輻輳状態が発生している場合には、「オン」と判定し「判断４」へ進む。
「判断３」のステップでは、以前に受信した要求信号の受信時刻Ｔ１と、今回受信した要求信号の受信時刻Ｔ２との差分を測定し、その差分が所定の時間間隔Ｃ１よりも長い場合、若しくは等しい場合には、「Ｔ２−Ｔ１＞＝Ｃ１」と判定し「処理１」のステップへ進む。一方、差分が所定の時間間隔Ｃ１よりも短い場合には、「Ｔ２−Ｔ１＜Ｃ１」と判定し「処理２」のステップへ進む。
【００１７】
「判断４」のステップでは、以前に受信した要求信号の受信時刻Ｔ１と、今回受信した要求信号の受信時刻Ｔ２との差分を測定し、差分が所定の時間間隔Ｃ１に一定時間αを加えた時間間隔Ｃ２＝Ｃ１＋αよりも長い場合、若しくは、等しい場合は、「Ｔ２−Ｔ１＞＝Ｃ２」と判定し「処理１」のステップへ進む。一方、差分が所定の時間間隔Ｃ１に一定時間αを加えた時間間隔Ｃ２＝Ｃ１＋αよりも短い場合は「Ｔ２−Ｔ１＜Ｃ２」と判定し、「おわり」のステップへ進み、図３に示したフローチャートの処理を終了する。
【００１８】
「処理１」のステップでは、要求信号の識別子と、その要求信号の受信時刻Ｔ１と、輻輳状態がオフの情報とをそれぞれ対応付けて記録し「出力１」のステップへ進む。「処理２」のステップでは、要求信号の識別子と、輻輳状態がオンの情報とをそれぞれ対応付けて記録するとともに、その要求信号を破棄する。そして、「おわり」のステップへ進み、図３に示したフローチャートの処理を終了する。
【００１９】
上述した実施形態では、着側ノードが、プロトコル規定よりも短い間隔で同一の識別子を有する要求信号を受信した場合に、後続の要求信号の全て又は一部に対する応答信号の生成を抑制するようにした。よって、着側ノードでのリソース消費を抑えることができるとともに、ネットワークに適切な間隔で応答信号を送信することにより、中継ノード及び発側ノードの負荷増大を回避することができる。
【００２０】
次に、セッション制御プロトコルにＳＩＰ（Session Initiation Protocol）を用いた場合の余剰パケット送信抑止装置の動作について説明する。余剰パケット送信抑止装置が要求信号であるリクエストを受信すると、そのリクエストを受信した時刻を問い合わせ、リクエストのセッション情報であるダイアログと、識別子の情報であるブランチとともに一時的に保管する。
次に、一時的に保管したリクエストのダイアログとブランチをキーとして、以前に受信したリクエストに同一のダイアログとブランチを有するリクエストが保管されているか否かについて検索を行う。
【００２１】
検索の結果、受信したリクエストと一致するダイアログとブランチが見つからなかった場合は、一時的に保管したリクエストのダイアログと、ブランチと受信時刻とを記録し、リクエストに対する応答信号であるレスポンスを生成する。
一方、検索の結果、受信したリクエストと一致するダイアログとブランチが見つかった場合は、以前に受信したリクエストの輻輳状態を確認し、以前に受信したリクエストの受信時刻と、一時的に記憶したリクエストの受信時刻との差分の計算を行う。
【００２２】
輻輳状態がオフの場合は、差分が時間間隔Ｃ１＝０．４秒よりも小さければ輻輳状態をオンにし、差分が０．４秒以上であれば輻輳状態をオフとする。
輻輳状態がオンの場合は、差分が時間間隔Ｃ２＝４秒よりも小さければ輻輳状態をオンにし、４秒以上であれば輻輳状態をオフとする。
なお、ここでは、時間間隔Ｃ１を０．４秒、時間間隔Ｃ２を４秒とする場合について説明しているが、時間間隔Ｃ１、Ｃ２としては任意の数値を使用することができる。なお、Ｃ１＜Ｃ２という条件を設定することにより、輻輳状態と非輻輳状態の揺らぎを緩和することができる。輻輳状態がオンの場合は、該当するリクエストの輻輳状態の情報をオンとし、リクエストを破棄する。
【００２３】
この処理により、輻輳状態がオンと判断された場合にはリクエストが破棄されるため、対応するレスポンスが生成されず、余剰パケット送信抑止装置等の負荷を軽減させることができ、また、ネットワークにも極端に短い間隔でパケットが流入することを防止することができる。一方、輻輳状態がオフの場合は、該当するリクエストの輻輳状態の情報をオフとし、リクエストの受信時刻を更新し、リクエストに対応するレスポンスを生成する。
この処理により、非輻輳状態と判断された場合にはリクエストに対するレスポンスが生成されるため、余剰パケット送信抑止装置等の負荷とならない適度な間隔をもってレスポンスを送信することが可能となる。
【００２４】
なお、上述した説明では、輻輳状態をオンとオフの２段階に区別する方法について説明したが、このような方法に限定されるものではない。同一の識別子を有する要求信号の受信間隔に応じて処理を細かく分けたい場合は、３つ以上の輻輳状態を定義してもよい。輻輳状態を３つ以上定義する場合には、輻輳状態の個数に応じて２つ以上の定数を規定するようにしてもよい。
【００２５】
なお、以上説明した実施形態において、図１における輻輳判定機能部１、呼情報管理部２、識別子情報管理部３などの機能を実現するためのプログラムをコンピュータ読み取り可能な記録媒体に記録して、この記録媒体に記録されたプログラムをコンピュータシステムに読み込ませ、実行することにより余剰パケット送信抑止装置の制御を行ってもよい。なお、ここでいう「コンピュータシステム」とは、ＯＳや周辺機器等のハードウェアを含むものとする。
【００２６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００２７】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００２８】
本発明の余剰パケット送信抑止装置及びその制御プログラム、余剰パケット送信抑止方法は、高い信頼性が要求されるネットワーク通信などに利用することができる。
【図面の簡単な説明】
【００２９】
【図１】本発明の実施形態による余剰パケット送信抑止装置が備える輻輳判定機能部１の構成を示すブロック図である。
【図２】本発明の実施形態による識別子情報管理部３に記録されるデータの一例を示す図である。
【図３】本実施形態による余剰パケット送信抑止装置の動作を示すフローチャートである。
【符号の説明】
【００３０】
１・・・輻輳判定機能部、
２・・・呼情報管理部、
３・・・識別子情報管理部
【図１】
2007037004.tif 000003
【図２】
2007037004.tif 000004
【図３】
2007037004.tif 000005